(57)【要約】【課題】  弾丸を粉砕させずに捕捉して、容易に回収でき、しかもライフル銃等のより強力な銃による射撃訓練にも使用可能なバックストップを提供する。【解決手段】  実弾を用いた射撃を行うための射撃場において射撃手Ａから見て標的Ｔの後方に配設されるバックストップ１であって、射撃手Ａに対向するように射撃手Ａに対して前後方向に並設された複数の平板状の繊維入り硬質ゴム素材よりなるトラップ材２、または繊維入り硬質ゴム素材よりなるトラップ材２１と鋼板よりなるトラップ材２２とで構成される複数のトラップ材２と、複数のトラップ材２の下方には弾丸Ｓを回収するための弾丸回収装置４とを備え、トラップ材２は、射撃手Ａに対向する面にトラップ材２の破損を防止するためのプラスチックとゴムとを合成させた素材よりなる破損防止材６が貼付されており、その間隔が射撃に使用される弾丸Ｓの長さより大きくなるように配設されている。【選択図】  図１
2006097932.tif 000002
【特許請求の範囲】
【請求項１】
実弾を用いた射撃を行うための射撃場において、射撃手から見て標的の後方に配設されるバックストップであって、
射撃手に対向するように射撃手に対して前後方向に並設された平板状の繊維入り硬質ゴム素材よりなる複数のトラップ材、または繊維入り硬質ゴム素材よりなるトラップ材と鋼板よりなるトラップ材とで構成される複数のトラップ材と、
前記複数のトラップ材の下方に設けられ弾丸を回収するための弾丸回収装置と
を備え、
前記トラップ材は、射撃手に対向する面にトラップ材の破損を防止するためのプラスチックとゴムとを合成させた素材よりなる破損防止材が貼付されており、かつ、その間隔が射撃に使用される弾丸の長さより大きくなるように配設されていることを特徴とするバックストップ。
【請求項２】
前記複数のトラップ材は、射撃手に対して前後方向および横方向に複数配置され、かつ、射撃手から見た場合に横方向に隣接する前記トラップ材同士の継ぎ目が前後方向に一直線に並ばないように配設されており、かつ、前記複数のトラップ材の後方に、前記複数のトラップ材に平行に配設された鋼板を備えることを特徴とする請求項１に記載のバックストップ。
【発明の詳細な説明】
【技術分野】
【０００１】
本発明は、バックストップに係り、特に、弾丸を粉砕させずに捕捉し回収可能なバックストップに関する。
【背景技術】
【０００２】
実弾を用いた射撃を行うための射撃場においては、射撃手が発砲して標的を外したり標的を貫通した弾丸が飛散することを防止するために、通常、標的の後方に弾丸を捕捉するためのバックストップが設けられる。
【０００３】
バックストップとしては、従来から、傾斜地の法面が利用されたり、土壌や砂を盛り上げて法面状に形成したりすることが多かった（例えば、特許文献１乃至特許文献３等参照）。しかし、このようなバックストップでは、弾丸が法面にめり込み、或いは法面に衝突して粉砕される。このように法面にめり込んだ弾丸や粉砕によって生じた鉛粉塵のすべてを回収することは必ずしも容易ではなく、弾丸やその破片、粉塵が回収されずに放置されると、弾丸から鉛粉塵が飛散して環境を汚染する、いわゆる鉛公害が発生してしまう。
【０００４】
そのため、発射された弾丸を飛散させずに捕捉し、しかも弾丸やその破片、粉塵を回収可能なバックストップとして、例えば、２枚の板状部材の間に緩衝材を詰め込んで構成されるバックストップ（特許文献４参照）や、枠体等で構成される筐状のバックストップの内部に防弾膜を吊り下げたもの（特許文献５参照）などが提案されている。
【０００５】
特許文献４に記載のバックストップでは、緩衝材が板状部材を貫通した弾丸を捕捉し、緩衝材と弾丸とを分離することで弾丸を回収する。また、特許文献５に記載のバックストップでは、防弾膜は弾丸速度を減速させるための減速材と弾丸を貫通させないための保護材に巻かれた板材とからなり、板材に衝突して落下した弾丸を回収するようになっている。
【特許文献１】特開２０００−１５４９９８号公報
【特許文献２】特開２０００−１８９９４３号公報
【特許文献３】特開２００４−２０１６９号公報
【特許文献４】特開２００３−５３２７２号公報
【特許文献５】特開２００２−１３９３００号公報
【発明の開示】
【発明が解決しようとする課題】
【０００６】
しかしながら、例えば、前記特許文献４に記載のバックストップでは、実際には緩衝材と弾丸とを分離することは必ずしも容易でなく、分離に手間がかかり人件費等でコストがかさむという問題が生じる。
【０００７】
また、前記特許文献５に記載のバックストップでは、弾丸が板材に衝突して粉砕され、鉛粉塵が生じることがある。さらに、ライフル銃等のより強力な銃を用いた射撃訓練では、弾丸が減速材のみならず板材やその後方に配置された鋼板製の被弾防護板をも貫通してしまうという問題があった。
【０００８】
そこで、本発明の目的は、弾丸を粉砕させずに捕捉して、容易に回収でき、しかもライフル銃等のより強力な銃による射撃訓練にも使用可能なバックストップを提供することである。また、本発明は、ランニングコストを低減可能なバックストップおよびそのメンテナンス方法を提供することをも目的とする。
【課題を解決するための手段】
【０００９】
前述の問題を解決するために、請求項１に記載のバックストップは、
実弾を用いた射撃を行うための射撃場において、射撃手から見て標的の後方に配設されるバックストップであって、
射撃手に対向するように射撃手に対して前後方向に並設された平板状の繊維入り硬質ゴム素材よりなる複数のトラップ材、または繊維入り硬質ゴム素材よりなるトラップ材と鋼板よりなるトラップ材とで構成される複数のトラップ材と、
前記複数のトラップ材の下方に設けられ弾丸を回収するための弾丸回収装置と
を備え、
前記トラップ材は、射撃手に対向する面にトラップ材の破損を防止するためのプラスチックとゴムとを合成させた素材よりなる破損防止材が貼付されており、かつ、その間隔が射撃に使用される弾丸の長さより大きくなるように配設されていることを特徴とする。
【００１０】
請求項１に記載の発明によれば、発射された弾丸を、高弾性素材である繊維入り硬質ゴム素材よりなる複数のトラップ材や、繊維入り硬質ゴム素材よりなるトラップ材と鋼板よりなるトラップ材とで構成される複数のトラップ材を貫通させながら、その運動エネルギーを徐々に奪い取ることによって失速させて落下させ、下方の弾丸回収装置で回収する。また、バックストップには、射撃手に対向する面にプラスチックとゴムとを合成させた素材よりなる破損防止材が貼付されたトラップ材が並設され、例えば、射撃に使用する弾丸を隣接するトラップ材の間隙に挿入した際に、弾丸とトラップ材との間隔が弾丸の前後で１ｍｍずつ離間するように、トラップ材の間隔が弾丸の長さより２ｍｍ以上大きくなるように配置される。
【００１１】
請求項２に記載の発明は、請求項１に記載のバックストップにおいて、前記複数のトラップ材は、射撃手に対して前後方向および横方向に複数配置され、かつ、射撃手から見た場合に横方向に隣接する前記トラップ材同士の継ぎ目が前後方向に一直線に並ばないように配設されており、かつ、前記複数のトラップ材の後方に、前記複数のトラップ材に平行に配設された鋼板を備えることを特徴とする。
【００１２】
請求項２に記載の発明によれば、バックストップを射撃手から見て横方向に並べた場合に、横方向に隣接するトラップ材の継ぎ目が一直線に並ぶことがなく、継ぎ目の後方には必ずトラップ材の本体が存在するようになる。また、バックストップの複数のトラップ材の後方に、トラップ材に平行に鋼板が設けられる。
【発明の効果】
【００１３】
請求項１に記載の発明によれば、発射された弾丸を、高弾性素材である繊維入り硬質ゴム素材よりなるトラップ材を貫通させることで、弾丸を破損することなく弾丸に強いブレーキをかけることができ、複数のトラップ材を貫通させることで、弾丸の運動エネルギーを効果的に奪い取って弾丸を失速させて落下させ、下方の弾丸回収装置で回収するため、弾丸を破砕させることなく効率良く捕捉することができる。またそのため、弾丸の粉砕による鉛粉塵の発生がなく、鉛公害の発生を確実に防止することが可能となる。また、繊維入り硬質ゴム素材よりなるトラップ材と鋼板よりなるトラップ材とで構成される複数のトラップ材を用いれば、ライフル銃等のようなより強力な銃を用いる場合でも、弾丸を破砕させることなく効率良くその運動エネルギーを奪うため、前記と同様の効果を発揮させることができる。
【００１４】
また、請求項１に記載のバックストップでは、トラップ材の間隔を弾丸の長さより大きくなるように配設するため、運動エネルギーを失った弾丸がほぼ自動的に下方の弾丸回収装置に落下して回収され、或いは弾丸がトラップ材に食い込んでいても棒等で叩き落すことで容易に回収されるから、弾丸の回収を非常に容易に行うことができ、弾丸の回収に余分な人件費をかけず或いは低減することが可能となる。
【００１５】
さらに、請求項１に記載のバックストップは、複数枚のトラップ材を吊り下げるだけなので、従来のように土壌や砂を盛り上げて法面状に形成するような場合に比べて設置スペースが小さくて済む。
【００１６】
また、バックストップのトラップ材の射撃手に対向する面には、プラスチックとゴムとを合成させた素材よりなる破損防止材が貼付されているため、破損防止材に弾丸の貫通により生じた穴を縮小させる性質を持たせることができ、弾丸の貫通により破損され易いトラップ材の面を効果的に保護し、破損を防止することができる。また、それにより、トラップ材の耐久力が増し、トラップ材がより多くの弾丸の貫通に耐えるようになるため、ランニングコストの低減を図ることができる。
【００１７】
請求項２に記載の発明によれば、バックストップを射撃手から見て横方向に並べた場合に、横方向に隣接するトラップ材の継ぎ目が一直線に並ぶことがなく、継ぎ目の後方には必ずトラップ材の本体が存在するようになるから、弾丸が継ぎ目部分を貫通または通過しても必ず後方のトラップ材２に着弾する。そのため、弾丸が一直線に並ぶ継ぎ目部分を通過してバックストップの後方に飛び出るような事態を回避することができ、貫通する弾丸の運動エネルギーを奪い取って捕捉するという前記請求項１に記載の発明の効果を確実に発揮させることができる。
【００１８】
また、バックストップの複数のトラップ材の後方に、トラップ材に平行に鋼板が設けられるため、前記請求項１に記載の発明の効果に加えて、弾丸が万一複数のトラップ材のすべてを貫通してしまった場合でも、この鋼板で最終的に弾丸の貫通を防止することが可能となる。
【発明を実施するための最良の形態】
【００１９】
以下、本発明のバックストップおよびそのメンテナンス方法に係る実施の形態について、図面を参照して説明する。
【００２０】
図１は、本実施形態に係るバックストップの構成を示す概略斜視図であり、図２は、図１のバックストップを射撃場に配置した状態を示す側面図である。なお、図２に示す設置例では、標的Ｔの射撃手Ａ側には、標的Ｔの下方の標的支持部を着弾から守るための防弾堤Ｂが設けられている。また、標的２は、図２等ではフロアに固定された固定型のものが記載されているが、この他にも、例えば、射撃手Ａに対して前後方向に移動したり、或いは射撃手Ａから見てバックストップ１の前方を横方向に移動するタイプの標的に対しても本実施形態のバックストップ１の機能は有効に発揮される。
【００２１】
バックストップ１は、射撃手Ａから見て標的Ｔの後方に配設されており、本実施形態では、平板状のトラップ材２と、鋼板３と、弾丸を回収するための弾丸回収装置４とを備えている。
【００２２】
トラップ材２は、射撃手Ａに対向するように射撃手Ａに対して前後方向に並設されており、本実施形態では、１０枚のトラップ材２が並設されている。本実施形態では、トラップ材２は、図２に示したように、訓練場の天井に固定された鉄板の下方部分にトラップ材２の上端部分をボルト締めすることにより取り付けられている。
【００２３】
その際、隣接するトラップ材２の間隔が、射撃に使用される弾丸の長さより大きくなるように配設されていることが好ましい。例えば、射撃に使用する弾丸を隣接するトラップ材２の間隙に挿入した際に、弾丸とトラップ材２との間隔が弾丸の前後で１ｍｍずつ離間するように、トラップ材２の間隔が弾丸の長さより２ｍｍ以上大きくなるように配置される。なお、トラップ材２を取り付ける方法としては、図２に示したようにトラップ材２を鉄板を介して天井にボルト締めして取り付けてもよいが、その他にも、例えば、天井にフックを固定し、そのフックにトラップ材２の上端部分を係止して吊り下げるように取り付けることも可能である。
【００２４】
図３は、本実施形態に係るトラップ材の断面図である。トラップ材２は、高弾性素材より形成されることが好ましい。本実施形態では、トラップ材２は、高弾性素材である繊維入り硬質ゴム素材より形成されており、硬質ゴムの内部に４層の粗く編まれたビニルやポリアミドの繊維５が挟み込まれた繊維入り硬質ゴム素材が用いられている。
【００２５】
また、本実施形態では、トラップ材２の射撃手に対向する面には、弾丸の貫通によるトラップ材２の破損を防止するための破損防止材６が貼付されている。破損防止材６は、貼付プラスチックとゴムとを合成させた素材よりなり、弾丸が貫通すると貫通により生じた穴が縮小する性質を有している。なお、破損防止材６は、使用される銃や弾丸によってトラップ材２に貼付されるか否かが決定される。
【００２６】
図１および図２に示すように、複数のトラップ材２の射撃手から見て後方側には、平板状の鋼板３がトラップ材２に平行に配設されている。この鋼板３は、弾丸が万一複数のトラップ材２のすべてを貫通してしまった場合に最終的に弾丸の貫通を防止するために設置されるものであり、本実施形態では、厚さが４〜６ｍｍ程度の鋼板が用いられている。
【００２７】
複数のトラップ材２の下方には、弾丸を回収するための弾丸回収装置４が配設されている。本実施形態では、弾丸回収装置４として、上方が開放された箱型の弾丸回収装置４が採用されているが、この他にも、例えば、ベルトコンベア等のように落下してきた弾丸を受け止めて自動的に搬送して回収するような装置を用いることも可能である。
【００２８】
次に、本実施形態に係るバックストップ１の作用について説明する。
【００２９】
射撃手Ａが標的Ｔに向かって弾丸を発射し、その弾丸が標的Ｔを外れてバックストップ１のトラップ材２に衝突すると、弾丸はトラップ材２を貫通する。しかし、その際、トラップ材２は弾丸に対してその進行を阻害する方向に力を及ぼす。前述したように、トラップ材２が高弾性素材、特に繊維入り硬質ゴム素材を用いて形成されていれば、弾丸が衝突しても弾丸を破損させる程の硬度はないため弾丸を破損させず、しかも、弾丸に強いブレーキをかけることができる。
【００３０】
そして、図４に示すように、弾丸Ｓは、トラップ材２を貫通するごとにその運動エネルギーをトラップ材２に奪われ、最終的に、トラップ材２に衝突しても貫通することができずに、下方に落下して弾丸回収装置４に回収される。また、その間、どのトラップ材２においても、前記のように弾丸Ｓを破損させることはないから、弾丸Ｓを破損されることなく弾丸回収装置４に回収することができる。
【００３１】
本発明者らの実験によれば、トラップ材２として厚さ８〜１０ｍｍの繊維入り硬質ゴム素材を用いた場合、弾丸Ｓが９ｍｍパラベラム弾であれば、トラップ材２を５〜６層貫通した時点で弾丸Ｓを停止させて落下、回収することができる。従って、本実施形態のように、１０枚のトラップ材２を用いてバックストップ１を構成すれば、弾丸Ｓがトラップ材２の後方に配置された鋼板３に達する手前のトラップ材２に当たって停止し回収される。このように、本発明のバックストップ１は、弾丸Ｓが複数のトラップ材２を貫通する中で停止させて捕捉するものであるから、弾丸Ｓが鋼板３にまで達する場合には、トラップ材２の数を増やす、トラップ材２の並べ方を変える、或いは新しいトラップ材２に交換する等の処置がとられる。
【００３２】
前述したように、隣接するトラップ材２の間隔が弾丸Ｓの長さより大きくなるように配設されていれば、弾丸Ｓを、トラップ材２の間隙をスムーズに落下させることができる。また、ごく一部の弾丸Ｓはトラップ材２に食い込んだ状態で停止することがあるが、その場合は、間隙に棒状のものを挿入して叩き落とせば容易に弾丸回収装置４に回収される。
【００３３】
前述したように、破損防止材６は、弾丸Ｓの貫通によるトラップ材２の破損を防止するために貼付される。銃から発射された弾丸Ｓには、その弾軸周りに強い回転が与えられているから、図５に示すように、トラップ材２を貫通する際にその入射する側の表面部分を破損する場合がある。しかし、破損防止材６を貼付しておけば、その貫通により生じた穴が縮小する性質により、破損したトラップ材２の飛散を防止することが可能となる。
【００３４】
ここで、本実施形態のバックストップ１のメンテナンス方法について述べる。本実施形態のバックストップ１は、前記のように、弾丸Ｓがトラップ材２を貫通するごとに弾丸Ｓから運動エネルギーを奪い、弾丸Ｓを失速させて回収するものである。そのため、例えば、本実施形態のように１０枚設けられたトラップ材２のうち、射撃手に近い側のトラップ材２は弾丸Ｓの貫通量が多くなり、トラップ材２の耐久力が弱くなる。しかし、射撃手から遠い側のトラップ材２は弾丸Ｓの貫通量が少なく或いは貫通されておらず、耐久力は維持されている。
【００３５】
そこで、弾丸Ｓが数多く貫通した射撃手に近い側のトラップ材２を取り外し、その後方の弾丸の貫通量が少ないトラップ材２を射撃手に近い側に移し、その後方に必要数の新たなトラップ材２を補充して垂下させるようにするとよい。このようにすれば、本実施形態では１０枚１組のトラップ材２を新たなトラップ材２と交換して、未だ全く弾丸Ｓが貫通していないトラップ材２や、ほとんど弾丸Ｓが貫通しておらず使用に耐えるトラップ材２を無駄に廃棄処分等することを防止することができ、効率良くトラップ材２を活用することができ、ランニングコストの低減を図ることが可能となる。
【００３６】
なお、本実施形態のトラップ材２は、弾丸Ｓとして９ｍｍパラベラム弾を用い、弾丸Ｓの着弾部位を適度に分散させた場合には、トラップ材１ｍ2あたり８０００発程度の着弾、貫通に耐えることができ、その交換の要否は目視で確認することにより行われる。使用する銃や弾丸の種類や使用弾丸数を基準に交換の要否を決めることも可能である。
【００３７】
このように、本実施形態のバックストップ１によれば、発射された弾丸Ｓを、複数のトラップ材２を貫通させながらその運動エネルギーを徐々に奪い取ることによって失速させ、落下させて下方の弾丸回収装置４で回収するため、弾丸Ｓを破砕させることなく効率良く捕捉することができる。そのため、弾丸の粉砕による鉛粉塵の発生がなく、鉛公害の発生を確実に防止することが可能となる。
【００３８】
また、本実施形態のバックストップ１では、運動エネルギーを失った弾丸Ｓがほぼ自動的に下方の弾丸回収装置４に落下して回収されるから、弾丸Ｓの回収を非常に容易に行うことができ、弾丸の回収に余分な人件費をかけず或いは低減することが可能となる。
【００３９】
さらに、バックストップ１は、図１や図２に示したように、基本的に複数枚のトラップ材２を吊り下げるだけなので、従来のように土壌や砂を盛り上げて法面状に形成するような場合に比べて設置スペースが非常に小さくて済む。
【００４０】
なお、ライフル銃等のようなより強力な銃を用いる場合には、トラップ材２として、前記のような高弾性素材のトラップ材のほかに、鋼板よりなるトラップ材を用いることが好ましい。具体的には、例えば、図６に示すように、バックストップ１のトラップ部分を、厚さ９ｍｍ程度の前記繊維入り硬質ゴム素材よりなるトラップ材２１と厚さ３〜４ｍｍ程度の鋼板よりなるトラップ材２２とを交互に並設するようにして構成する。
【００４１】
このように構成すれば、前記の拳銃を用いた場合と同様に、ライフル銃から発射された弾丸が繊維入り硬質ゴム素材のトラップ材２１や鋼板よりなるトラップ材２２を貫通する間にその運動エネルギーを奪い取ることができ、弾丸を失速させて捕捉、回収することができる。また、鋼板よりなるトラップ材２２を弾丸が貫通しても、トラップ材２２の厚さが３〜４ｍｍ程度であれば弾丸を変形させたり粉砕させたりすることなく失速させるため、鉛公害の問題等の発生は回避できる。
【００４２】
弾丸が後方の鋼板３にまで達する場合には、トラップ材２の数を増やす、トラップ材２の並べ方を変える、或いは新しいトラップ材２に交換する等の処置がとられることは、前記の実施形態の場合と同様である。
【００４３】
また、実際の射撃場においては、図１や図２に示した標的Ｔが射撃手Ａから見て横方向に複数台並べて配置されたり、比較的広い範囲を横方向に移動させたりする場合がある。そのような場合には、本実施形態のバックストップ１を横方向に複数並べて用いることができる。その際、横方向に隣接するトラップ材２の継ぎ目をピン等で固定するとよい。
【００４４】
さらに、前記の場合、このようにバックストップ１を単に横方向に並べて用いることも可能であるが、図７に模式的に示すように、横方向に隣接するトラップ材同士の継ぎ目が前後方向に一直線に並ばないように配設されていることが好ましい。仮に、継ぎ目が前後方向に一直線に並んでいると、発射された弾丸が継ぎ目部分を貫通または通過していく可能性が生じる。継ぎ目部分は、通常、トラップ材自体より弾丸の貫通を阻害してその運動エネルギーを奪う力が弱いから、弾丸が容易に後端の鋼板３に衝突して変形したり、鋼板３を貫通して後方のコンクリート壁Ｃ（図２参照）に衝突して粉砕されたりする事態が生じ得る。
【００４５】
しかし、図７に示したように、トラップ材２の継ぎ目が前後方向に一直線に並ばないように配置すれば、横方向に隣接するトラップ材２の継ぎ目の後方には必ずトラップ材２の本体が存在するようになるから、弾丸Ｓが継ぎ目部分を貫通または通過しても必ず後方のトラップ材２に着弾する。そのため、前記のような事態を回避することが可能となり、貫通する弾丸の運動エネルギーを奪うという本実施形態の効果を有効に発揮させることができる。
【００４６】
なお、前記実施形態では、図２に示したようにバックストップ１を室内の射撃場で使用する場合について述べたが、屋外の射撃場でも、例えば、支持板からバックストップ１のトラップ材２等を吊り下げるようにして使用することも可能である。
【図面の簡単な説明】
【００４７】
【図１】本実施形態に係るバックストップの構成を示す概略斜視図である。
【図２】図１のバックストップを射撃場に配置した状態を示す側面図である。
【図３】本実施形態に係るトラップ材の断面図である。
【図４】本実施形態に係るトラップ材の機能を説明する模式図である。
【図５】トラップ材が弾丸により破損される状態を説明する模式図である。
【図６】ライフル銃用のトラップ材の構成例を示す側面図である。
【図７】トラップ材の継ぎ目が一直線に並ばないように配置したバックストップを示す模式図である。
【符号の説明】
【００４８】
１    バックストップ
２    トラップ材
２１  繊維入り硬質ゴム素材よりなるトラップ材
２２  鋼板よりなるトラップ材
３    鋼板
４    弾丸回収装置
６    破損防止材
Ａ    射撃手
Ｓ    弾丸
Ｔ    標的
【図１】
2006097932.tif 000003
【図２】
2006097932.tif 000004
【図３】
2006097932.tif 000005
【図４】
2006097932.tif 000006
【図５】
2006097932.tif 000007
【図６】
2006097932.tif 000008
【図７】
2006097932.tif 000009